(57)【要約】【課題】大サイズの刷版であっても損傷を与えることなく容易に且つ作業効率良く運搬し、平台印刷機に対して受け渡しを行うことの可能な作業台車を提供する。【解決手段】車輪を備えた台車本体３に、水平な旋回軸線を中心に旋回可能に旋回保持体５を保持させ、その旋回保持体５には、刷版７を支持するトレー９を備えた移動支持体６を移動可能に保持させた構成とし、刷版運搬時には刷版７を支持したトレー９をほぼ垂直となる位置まで旋回させておくことで狭い通路でも通過可能とし、印刷機１５への受け渡し時にはトレー９を水平にすると共に印刷機上に前進させることで、容易に印刷機１５に対して受け渡しできるようにする。【選択図】  図６
2004351765.tif 000002
【特許請求の範囲】
【請求項１】
車輪を備えた台車本体と、該台車本体に水平な旋回軸線を中心に旋回可能に保持された旋回保持体と、該旋回保持体に、前記旋回軸線に直角方向に移動可能に保持され、刷版をその移動方向に平行となる状態に支持可能な移動支持体を有することを特徴とする平台印刷機の刷版交換用作業台車。
【請求項２】
前記移動支持体が、前記旋回保持体に移動可能に保持された移動フレームと、該移動フレームに着脱可能に保持され、刷版を支持するトレーとを有することを特徴とする請求項１記載の平台印刷機の刷版交換用作業台車。
【発明の詳細な説明】
【０００１】
【発明の属する技術分野】
本発明は大型平台オフセット印刷機などの平台印刷機に対する刷版交換作業に用いる作業台車に関する。
【０００２】
【従来の技術】
従来、平台オフセット印刷機の刷版の運搬や交換に当たっては、作業スペースや通路に広さに合わせて、刷版をＵ字状に湾曲させて作業者が手で持ち、手作業により運搬や交換を行っており、特に大型の平台オフセット印刷機においては、刷版のサイズが大きいため、作業者２名で運搬及び交換作業を行っていた。また、刷版交換作業においては、印刷機上に作業者が登り、運搬してきた刷版の受渡しや定盤への設置、取り外し等の交換作業を行っていた。
【０００３】
【発明が解決しようとする課題】
しかしながら、かかる従来技術には次のような問題点があった。
・刷版自身は薄いアルミ板であることから、刷版をＵ字状に湾曲させて運搬する際に、折れ曲がった跡（ヘコという）が付きやすく、これを防ぐため運搬作業には細心の注意が必要であった。
・サイズの大きい刷版をＵ字状に湾曲させて運搬する場合、作業者２人係りでの作業が必須となることから、ヘコの発生率が高くなってしまっていた。
・大型の平台オフセット印刷機においては、機脇から手を伸ばして届かない範囲での作業が多く、このため印刷機上に作業者が上って作業をしているため、危険である。また、印刷機への上り降りにも時間がかかることから、作業効率が悪い。
【０００４】
本発明はかかる問題点に鑑みてなされたもので、大サイズの刷版であってもヘコを発生させることなく容易に且つ作業者１人で運搬することができ、また、平台オフセット印刷機などの平台印刷機に対する刷版の交換に際しては、印刷機上に作業者が登らず機脇からの作業によって且つ作業者１人で容易に刷版の交換を行うことを可能とする作業台車を提供することを課題とする。
【０００５】
【課題を解決するための手段】
本発明の作業台車は上記課題を解決するため、車輪を備えた台車本体と、該台車本体に水平な旋回軸線を中心に旋回可能に保持された旋回保持体と、該旋回保持体に、前記旋回軸線に直角方向に移動可能に保持され、刷版をその移動方向に平行となる状態に支持可能な移動支持体を備えるという構成としたものである。この構成の作業台車では、移動支持体上に刷版を乗せ、その移動支持体を旋回保持体と共に、刷版を立てかけた状態となる位置に旋回させることで、サイズの大きい刷版でも狭い幅のスペース内に位置させることができ、作業スペースや通路が狭くても、その作業台車によって刷版を容易に運搬することができる。そして、刷版を平台印刷機の定盤に対して受け渡しする際には、作業台車を印刷機の機脇に停止させ、刷版を支持している移動支持体を旋回保持体と共に水平状態に旋回させ、その状態で移動支持体を前進させて定盤の上に送り込み、刷版を移動支持体上から定盤上に滑らせて降ろしながら移動支持体を元の位置に戻して行くという操作を行うことで機脇から作業者１人の簡単な操作によって刷版を定盤上に降ろすことができ、また、この逆の操作によって定盤上の刷版を移動支持体の上に乗せることができ、容易に刷版の交換作業を行うことができる。
【０００６】
ここで、作業台車に設ける移動支持体を、前記旋回保持体に移動可能に保持された移動フレームと、該移動フレームに着脱可能に保持され、刷版を支持するトレーとを有する構成とすることが好ましい。この構成とすると、トレーを作業台車に乗せて刷版の運搬や印刷機に対する受け渡しに使用するのみならず、トレーを、刷版を乗せた状態で作業台車から取り外し、刷版の保管場所に置いて刷版の保管にも使用できるといった効果が得られる。
【０００７】
【発明の実施の形態】
以下、平台オフセット印刷機に対する刷版の受け渡しを例として、本発明の実施の形態を説明する。図１は本発明の好適な実施の形態に係る作業台車１の概略側面図、図２はその作業台車１の概略平面図、図３は作業台車１を、走行中の状態で示す概略側面図、図４は作業台車１を、平台オフセット印刷機に対して刷版受け渡しを行う状態で示す概略側面図、図５は作業台車１を、トレーを外した状態で示す概略斜視図、図６（ａ）、（ｂ）は作業台車１に保持した刷版を平台オフセット印刷機に受け渡す動作を説明する概略斜視図である。作業台車１は、キャスター２等の車輪を備えると共に両端に支柱部３ａを備えた台車本体３と、その台車本体の支柱部３ａの上端近傍に、支持軸によって水平な旋回軸線Ｏ−Ｏを中心に旋回可能に保持された旋回保持体５と、その旋回保持体５にスライドレール等を介して前記旋回軸線Ｏ−Ｏにほぼ直角方向に移動可能に保持された移動支持体６を備えている。この移動支持体６は、刷版７を移動支持体６の移動方向に平行となる状態に支持可能なものであり、この実施の形態では、図５から良く分かるように旋回保持体５に移動可能に保持された移動フレーム８と、その移動フレーム８に着脱可能に保持され、刷版７を支持するトレー９とを有する構成としている。ここで、トレー９は、刷版７を平坦な状態に支持可能なよう平坦な支持板９ａを有すると共に、その支持板９ａの、刷版７の出し入れに供する辺を除いた他の３辺に刷版７が脱落しないように規制するストッパー材９ｂを設けている。このトレー９は、作業台車１に刷版７を保持させるために使用するのみならず、作業台車１から取り外して刷版７の保管にも使用するものであり、取り扱いが容易なよう軽量な材料で作られている。例えば、トレー９の支持板９ａはプラスチック段ボール製、ストッパー材９ｂは発泡プラスチック製としている。また、このトレー９を重ねて保管できるよう、３辺のストッパー材９ｂの高さを一定としている。トレー９を移動フレーム８に対して動かないように且つ着脱可能な形態で保持させるため、移動フレーム８には複数箇所にピン１１を設け、トレー９にはピン穴１２を設けている。なお、トレー９を移動フレーム８に取り付けるための機構は、図示のようなピン１１とピン穴１２の組み合わせに限らず、適宜変更可能である。
【０００８】
図１〜図６において、支柱部３ａに保持された旋回支持体５の高さ（旋回軸線Ｏ−Ｏ）の高さは、この作業台車１を、刷版７の受け渡しを行う対象の平台オフセット印刷機１５の機脇に位置させ、移動支持体６を水平状態とした時、その移動支持体６が平台オフセット印刷機の定盤よりもわずかに高い位置となるように設定しており、これにより、図４に示すように、移動支持体６を前進させて平台オフセット印刷機の定盤よりわずかに高い位置に送り込むことができる。
【０００９】
次に、この作業台車１の使用方法を説明する。刷版７の保管場所には、刷版７がトレー９に支持された状態で保管されている。刷版７の運搬に当たっては、運搬すべき刷版７を入れたトレー９を作業台車１の移動フレーム８に乗せ、図３に示すように、その移動フレーム８とトレー９を垂直に近い位置に旋回させ、刷版７を立てかけた状態とする。これにより、作業台車１及びそれに保持している移動フレーム８、トレー９等が占めるスペースの幅寸法を小さくすることができる。この状態で作業台車１を所望の平台オフセット印刷機１５の機脇に移動させ、刷版７の運搬を行う。この際、移動フレーム８が横方向にはあまり出っ張っていないので、狭い通路であっても作業台車１を通すことができ、また、刷版７は平坦な状態でトレー９に支持されるため、従来のようにＵ字状に湾曲させて運搬した際に生じがちであったヘコが付くということはない。
【００１０】
次に、作業台車１を平台オフセット印刷機の機脇に位置させた後、図６（ａ）に示すように、移動フレーム８及びトレー９を水平状態に旋回させ、次いで、図６（ｂ）及び図４に示すように、その移動フレーム８及びトレー９を水平に前進させて、トレー９を平台オフセット印刷機の定盤の上方に送り込む。次いで、刷版７をトレー９から定盤上に滑らせながら、トレー９及び移動フレーム８を後退させ、刷版７を定盤上に降ろす。その後、定盤上に受け渡された刷版７の位置を調整し、平台オフセット印刷機への刷版の設置は完了する。これらの作業はいずれも、作業者１人による機脇からの手作業で容易に行うことができる。設置完了後は、移動フレーム８及びトレー９を元の位置に引き戻し、旋回させて、刷版を運搬してきた状態に戻し、作業台車１のみを作業台車の置き場に戻す。以上により、刷版を運搬して平台オフセット印刷機の定盤上に設置する作業が終了する。なお、平台オフセット印刷機の定盤上から刷版を取り出して保管場所に運搬するには、上記した作業の逆を行えば良い。
【００１１】
以上のように、上記した構成の作業台車１を用いることにより、刷版をＵ字状に湾曲させた状態で人手で運搬する必要がなくなり、運搬を容易に且つ作業性良く行うことができると共に刷版にヘコを付けることがない。また、平台オフセット印刷機に対する受け渡しの際には、トレーを作業のしやすい位置に持ってくることが可能となるため、印刷機上に作業者が上って作業を行う必要がなく、機脇からの簡単な作業で受け渡しを行うことができる。
【００１２】
【発明の効果】
以上に説明したように、本発明の作業台車は、刷版を立てかけた状態で運搬できるので、通路や作業スペースが狭くても、刷版のサイズが大きくても、その刷版にヘコを発生させることなく、だれでも容易に且つ１人で運搬することができ、また平台印刷機に対する受け渡しの際には、印刷機上に作業者が上って作業を行う必要がなく、作業者１人での機脇からの簡単な作業で受け渡しを行うことができ、刷版の運搬及び受け渡しを安全に且つ作業効率良く実施できるという効果を有している。
【図面の簡単な説明】
【図１】本発明の好適な実施の形態に係る作業台車１の概略側面図
【図２】作業台車１の概略平面図
【図３】作業台車１を、走行中の状態で示す概略側面図
【図４】作業台車１を、平台オフセット印刷機に対する刷版受け渡し状態で示す概略側面図
【図５】作業台車１を、トレーを外した状態で示す概略斜視図
【図６】（ａ）、（ｂ）は作業台車１に保持した刷版を平台オフセット印刷機に受け渡す動作を説明する概略斜視図
【符号の説明】
１  作業台車
２  キャスター
３  台車本体
３ａ  支柱部
５  旋回保持体
６  移動支持体
７  刷版
８  移動フレーム
９  トレー
１１  ピン
１２  ピン穴
１５  平台オフセット印刷機
【図１】
2004351765.tif 000003
【図２】
2004351765.tif 000004
【図３】
2004351765.tif 000005
【図４】
2004351765.tif 000006
【図５】
2004351765.tif 000007
【図６】
2004351765.tif 000008